(57)【特許請求の範囲】
【請求項１】
外周面に雄螺子が設けられた口頸部を有する外装体を備え、前記口頸部の内周面に口部を溶着した袋体を形成するとともに前記袋体を反転させることにより前記外装体の内部に引き込まれた袋体を形成し、前記袋体に内容物が充填された容器本体と、周壁と頂壁を有し前記周壁の内面に前記雄螺子と螺合する雌螺子が設けられているとともに、前記頂壁にはその上下に貫通し上端に逆止弁が嵌着され下端部が前記頂壁下面から垂下して前記容器本体内に開口する筒管に形成された貫通孔が貫設され、且つ前記頂壁の上面には前記逆止弁を被覆して気密室を形成した弾性体からなるドーム状の押し釦が装着され、前記押し釦のフランジに突設された舌片が前記頂壁上面に密着して自動開閉性のある吐出口を形成したベースキャップと、前記ベースキャップを被覆する蓋体と、を有してなり；前記容器本体は前記ベースキャプに着脱自在とされ、新しい内容物が袋体に充填され別途に具えられた前記容器本体と同一構造を有するリフィール容器の開口端はバージンシールで密封されており、前記リフィール容器が前記ベースキャップに装着可能としたことを特徴とするポンプ付き吐出容器。
【発明の詳細な説明】
【０００１】
【発明の属する技術分野】
本発明は、クリームや軟膏など半流動性の内容物を吐出する簡易なポンプ機構を具備した吐出容器に関するものである。
【０００２】
【従来の技術】
従来、この種の吐出容器として、図５に示す実開昭５９ー１５３８７５号公報に開示されたポンプ付き吐出容器が提供されている。
【０００３】
図に示すポンプ付き吐出容器は、有頭筒状の容器本体５１の頂壁５２に貫通孔５３を穿ち、逆止弁機能と押し釦機能とを兼ね備えた弾性帽体５４を前記貫通孔５３に係着させて前記頂壁５２の上面に突設するとともに、容器本体５１内に底部からクリームからなる内容物５５を充填し、可動底壁５６を嵌挿してから保護板５８を取り付けて構成されたものである。
【０００４】
そして、弾性帽体５４を押圧すると、弾性帽体５４内の内容物５５が吐出され、押圧を中止すると、弾性帽体５４の自己復元に伴い弾性帽体５４内に内容物５５が吸引されるとともに容器本体５１内は負圧となり、吐出された内容物５５の量だけ埋め合わせるように可動底壁５６が容器本体５１内を摺動しながら上昇する。そして、上記操作を繰り返すことにより内容物の吐出が反復するようになっている。
【０００５】
【発明が解決しようとする課題】
ところで、前記従来のポンプ付き吐出容器にあっては、部品数の少い簡単な構造であるが、弾性帽体５４からなるポンプ機構が容器本体５１に一体的に設けられており、内容物５５を使いきってしまうとポンプ機構ごと廃棄されてしまう使い捨て容器であって、資源や環境を問題とする時代の要求に沿わなくなっている。また、この従来の容器の内容物の充填と組立作業は、容器本体５４を倒立してその底側の開口部５７から内容物５５を充填し、直ちに可動底壁５６を嵌挿して気密に密封し、底部に保護板５８を取り付けて組み立てるものであるので、容器本体１と可動底壁５６との摺動部分は高い成形精度が要求されるうえに、変則的な内容物の充填作業と面倒な容器の組立作業とが同時に行われるものであるので、生産性が望まれる量産には適合していなかった。
【０００６】
本発明は、上記の問題に鑑みてなされたもので、内容物の充填と容器の組立作業が容易にできるようにすることで量産に適したものにするとともに、使用者が新しい内容物のリフィール容器と簡単に交換が行える半流動体の内容物に適合したポンプ付き吐出容器にすることを課題としている。
【０００７】
【課題を解決するための手段】
そこで、本発明のポンプ付き吐出容器は、外周面に雄螺子が設けられた口頸部を有する外装体を備え、前記口頸部の内周面に口部を溶着した袋体を形成するとともに前記袋体を反転させることにより前記外装体の内部に引き込まれた袋体を形成し、前記袋体に内容物が充填された容器本体と、周壁と頂壁を有し前記周壁の内面に前記雄螺子と螺合する雌螺子が設けられているとともに、前記頂壁にはその上下に貫通し上端に逆止弁が嵌着され下端部が前記頂壁下面から垂下して前記容器本体内に開口する筒管に形成された貫通孔が貫設され、且つ前記頂壁の上面には前記逆止弁を被覆して気密室を形成した弾性体からなるドーム状の押し釦が装着され、前記押し釦のフランジに突設された舌片が前記頂壁上面に密着して自動開閉性のある吐出口を形成したベースキャップと、前記ベースキャップを被覆する蓋体と、を有してなり；前記容器本体は前記ベースキャプに着脱自在とされ、新しい内容物が袋体に充填され別途に具えられた前記容器本体と同一構造を有するリフィール容器の開口端はバージンシールで密封されており、前記リフィール容器が前記ベースキャップに装着可能としたことで前記課題の解決手段とした。
【０００８】
【発明の実施の形態】
以下、本発明の実施の形態を添付図面を参照しながら詳細に説明する。
【０００９】
図１乃至図４は、本発明に係るポンプ付き吐出容器の好適な実施形態を示すもので、図１乃至図２に示すように、袋体２を内装した容器本体１と、この容器本体１の口頸部３に螺着し逆止弁１１と弾性体からなるドーム状の押し釦１２とによる簡易ポンプ機構が設けられたベースキャップ１０と、このベースキャップ１０の上面を被覆する蓋体２０とから構成されている。
【００１０】
前記容器本体１は、ＡＳ、ＰＳ、ＡＢＳなど硬質の汎用合成樹脂材料で形成された外装体１ａと、この外装体１ａに内装された軟質の合成樹脂製のフイルムで形成された袋体２とで二層に構成されており、前記外装体１ａは、外周面に雄螺子４が突設された広口の口頸部３を立設した筒状の胴部５の下端開口部５ａに通孔６を穿設した底板７が嵌込まれて形成されている。
【００１１】
前記外装体１ａに内装される袋体２の形成工程を説明すると、図３（ａ）に示すように、筒状に形成されたフイルム２ａの一端部２ｃを外装体１ａの口頸部３内に差し込んでこの口頸部３の内周面に熱溶着して取り付け、次ぎに、口頸部３の外にあるフイルム２ａのもう一つの端部を熱溶着して、図３（ｂ）にクロスハッチングで示す溶着帯２ｄからなる底部を形成する。更に、外装体１ａの下部開口部５ａにバキュームヘッド８を挿入して吸引し、これににより袋体２を外装体１ａ内に反転させて引き込んで容器本体１の内装体を形成する。次ぎに、外装体１ａの底部に底板７を取り付けて容器本体１が完成する。
【００１２】
前記容器本体１は、内容物（図示省略）が充填された後、ベースキャップ１０に取り付けられてポンプ付き吐出容器を構成するとともに、図３（ｃ）に示すように、口頸部３の開口端３ａに合成樹脂フイルムからなる不正使用防止の為のバージンシール２１を剥離可能に仮接着して内容物を密封し、リフィール用の蓋２０を施蓋して交換用のリフィール容器Ｒとなるものである。そして、このリフィール容器Ｒは、内容物を袋体２と剛性のある外装体１ａとで二重に収納しているので、搬送時などに受ける衝撃にも強く、安全性の高い容器である。
【００１３】
この容器本体１にあっては、袋体２を形成するフイルム２ａを外装体１ａの口頸部３内へ溶着する工程に於いて溶着する位置にばらつきがあっても、図４（ａ）に示すように、袋体２の開口端２ｂは、外装体１ａの口頚部３の内周面に溶着され反転して口頸部３の内側に折り返されて形成してあるので、袋体２の開口端２ｂが外装体１ａの口頚部３内から突出することがない。従って、口頚部３の開口端３ａにバージンシール２１を接着する工程に於いて袋体２の開口端２ｂが溶着作業の邪魔になることがなく、バージンシール２１の接着が確実に行えるものである。
【００１４】
また、図４（ｂ）に示すように、口頸部３の開口部３ａ内側に低い段部３ｂを設けて袋体２を装着すると、袋体２の開口端２ｂは口頚部３の口元迄いっぱいに充填される内容物によって隠れ、使用者がバージンシール２１を取り去ったとき袋体２の開口端２ｂが視界に触れず、見映えを良くすることができる。
【００１５】
一方、ベースキャップ１０は、図１および図２に示すように、頂壁１３と、この頂壁１３の周縁から垂設された周壁１４とから構成され、前記周壁１４の内周面には容器本体１の雄螺子４と螺合する雌螺子１５が刻設されているとともに、周壁１４の基端に沿った頂壁１３部分にはリングパッキン１６が嵌め込まれている。
【００１６】
前記頂壁１３には上下に貫通する貫通孔１７が穿孔され、この貫通孔１７の上端には容器本体１内の内容物の吐出のみを許容する片持ち膜状の逆止弁１１が取り付けられており、また、貫通孔１７の下端部は頂壁１３の下面から垂下して前記容器本体１内に開口する筒管１８に形成されている。この筒管１８は、容器本体１をベースキャップ１０に装着した際に内容物に刺し込まれるもので、容器の上部に入った空気を吸い込まずに内容物を貫通孔１７を通して頂壁１３の上面に導く為の導管である。
【００１７】
前記押し釦１２は、容器本体１の内容物を頂壁１３の上面に供給するとともに、頂壁１３の上面に供給された内容物を外部に吐出する操作部材であって、ゴムやエラストマーなど弾性変形および弾性復帰可能な材料を用いて前方に向かって舌片１２ｃが突設されたフランジ１２ａに囲まれたドーム状に形成されている。
【００１８】
この押し釦１２は、頂壁１３の上面に操作する部分を突出し逆止弁１１を中心に置いて設けられた円形の凹所１３ａにフランジ１２ａを嵌込んでいるとともに、前記凹所１３ａ内に逆止弁１１を囲んで設けられた周溝１３ｂに、フランジ１２ａ下面に周設された裾部１２ｂを嵌入することによって、頂壁１３の上面に気密に装着されている。従って、この押し釦１２の内面と逆止弁１１を含む頂壁１３の上面との間には気密室１１ａが形成され、押し釦１２を押圧することによって作動する簡易ポンプ機構が構成されている。
【００１９】
また、頂壁１３の上面にあって前記押し釦１２の一側方には吐出された内容物を受け入れる浅い凹所からなる受皿１９が凹設され、この受皿１９と前記凹所１３ａとは溝１３ｃによって連通され、この溝１３ｃには押し釦１２の舌片１２ｃが嵌込まれて頂壁１３の上面に密着し、内圧によって開放されるとともに消圧によって弾性的に自己閉鎖する自動開閉性のある吐出口１１ｂが形成されている。そして、溝１３から凹所１３ａ内の周溝１３ｂの側部１３ｄにかけて流出通路１１ｃが形成されて気密室１１ａに連通し、逆止弁１１を介して容器本体１内に連通する内容物の流路を構成している。
【００２０】
そして、上述したベースキャップ１０には蓋体２０が外嵌し、この実施形態のポンプ付き吐出容器は構成されている。
【００２１】
この実施形態のポンプ付き吐出容器に内容物を充填するときは、普通の広口のジャーに充填する場合と同様にクリームなどの半流動体の内容物を容器本体１に流し込み、普通のスクリューキャップをジャーに施蓋する要領でベースキャップ１０を容器本体１の口頸部３に螺合させればよい。また、交換用のリフィール容器Ｒとするときは、図３（ｃ）に示したように、内容物を充填した後、薄肉の合成樹脂フイルムからなるバージンシール２１を開口端３ａに戴置し、熱溶着して剥離可能に仮接着し、蓋２２を施蓋して完成する。
【００２２】
次ぎに、この実施形態のポンプ付き吐出容器の作動について説明する。
【００２３】
ドーム状の押し釦１２を押圧して気密室１１ａの容量を小さくした状態から、押し釦１２を弾性力によって自己復帰させると、気密室１１ａが負圧化することにより、逆止弁１１が開いて容器本体１内の内容物が貫通孔１７を通って気密室１１ａ内に供給されるとともに、容器本体１内は内容物が減少した分だけ負圧化し、この負圧に伴って袋体２は収縮する。
【００２４】
更に、もう一度押し釦１２を押圧すると、気密室１１ａに供給された内容物は、流出通路１１ｂを通って自圧によって溝１３ｃ内の舌片１２ｃを押し上げ、吐出口１１ｂを開放してベースキャップ１０上面の受皿１９内に吐出する。
【００２５】
そして、内容物の吐出後、押し釦１２を弾性復帰させると、前記吐出口１１ｂは自身の自閉機能によって閉じられるとともに、気密室１１ａが負圧化することにより、逆止弁１１が開いて容器本体１内の内容物が貫通孔１７を通って再び気密室１１ａ内に供給される。
【００２６】
以後は、押し釦１２の押圧動作を繰り返すことによって、容器本体１内から気密室１１ａに供給された内容物の容量だけ袋体２を収縮しつつ、繰り返し内容物を外部に吐出操作することができる。
【００２７】
そして、内容物を使いきってリフィール容器Ｒと交換するときは、普通のスクリューキャップを操作するようにベースキャップ１０を螺解して取り外し、新しい内容物が充填されたリフィール容器Ｒに螺着させる。このとき、容器内に多少の空気が入っても、ベースキャップ１０の下面から垂設された貫通孔１８の下端部を形成す筒管８が内容物に刺し込まれているので、再び押し釦１２を作動させたとき、所謂空気によるポンプの空打ちがなく、引き続き連続して内容物を吐出させることができるものである。
【００２８】
【発明の効果】
以上説明したように、本発明のポンプ付き吐出容器によれば、ポンプ機構が設けられたベースキャップと内容物が充填される袋体を内装した容器本体とを別体に設け、ベースキャップと容器本体とは螺子嵌合によって嵌脱自在に構成したので、クリームなどが充填される普通のジャーを取り扱う要領で充填と施蓋作業が可能となり、従って、量産が容易となって安価に製造できるものである。
【００２９】
また、内容物の吐出によって縮小する内容物の収納部分を袋体としたことにより、容器本体の成形精度が緩和されるとともに、袋体の口頸部への溶着取り付け位置がばらついても、袋体を反転させてその開口端を折り返して形成し、袋体の開口端が外装体の口頸部内から外部に突出することのない構成としたので、バージンシールの口頸部の開口端への接着が確実になり、組立の容易なポンプ付き吐出容器となっている。
【００３０】
そして、ベースキャップには、別に用意した容器本体と同一構造のリフィール容器を螺子嵌合によって着脱可能としたので、使用者が手指を汚すことなく新しい内容物と簡単に交換できる。また、内容物は袋体と剛性のある外装体とで二重に収納されているので、搬送時の安全性が高く、且つ、ベースキャップと蓋とが複数回に亘って使用可能であるので環境と省資源を目指す時代の要請に適合したポンプ付き吐出容器である。
【図面の簡単な説明】
【図１】本発明のポンプ付き吐出容器の実施形態を示す断面図である。
【図２】同実施形態の一部を破断した分解斜視図である。
【図３】同実施形態の容器本体とリフィール容器の組立工程を示す説明図である。
【図４】同実施形態の容器本体の口頸部を示す説明図である。
【図５】従来のポンプ付き吐出容器を示す断面図である。
【符号の説明】
１  容器本体，１ａ  外装体，２  袋体，３  口頸部，４  雄螺子，１０  ベースキャップ，１１  逆止弁，１１ａ  気密室，１１ｂ  吐出口，１２  押し釦，１２ａ  フランジ，１２ｃ  舌片，１３  頂壁，１４  周壁，１５  雌螺子，１７  貫通孔，１８  筒管，２０  蓋体，Ｒ  リフィール容器，
【図１】
0003686711.tif 000002
【図２】
0003686711.tif 000003
【図３】
0003686711.tif 000004
【図４】
0003686711.tif 000005
【図５】
0003686711.tif 000006